(57)【要約】【課題】ユーザが、省エネ設定後の状態について十分に理解した上で省エネ設定を行うことが可能な受信システムを提供する。【解決手段】この受信システム１００は、放送信号を受信するチューナ１１と、ＢＤレコーダ本体１ａと、制御部１９とを含むＢＤレコーダ１と、チューナ１１に接続されるＴＶ装置２とを備え、制御部１９は、ＢＤレコーダ本体１ａの省エネ設定に関する操作をユーザから受け付ける際に、ＴＶ装置２に表示させるか、または、ＢＤレコーダ１を動作させることにより、省エネ設定を実施した状態を視覚的に認識可能な態様でデモンストレーションさせる制御を行うように構成されている。【選択図】図１
2014003498.tif 000002
【特許請求の範囲】
【請求項１】
機器本体部と、
前記機器本体部の省エネ設定に関する操作をユーザから受け付ける際に、省エネ設定を実施した状態を視覚的に認識可能な態様で表示部に表示されるようにデモンストレーションさせる制御を行う制御部とを備えた、電子機器。
【請求項２】
前記制御部は、省エネ設定を実施した状態をデモンストレーションにより前記表示部に表示させた後、ユーザに対して省エネ設定を実施してよいかの問い合わせを行うように構成されている、請求項１に記載の電子機器。
【請求項３】
省エネ設定では、複数の項目について省エネ設定が可能であり、
前記制御部は、前記複数の項目のうちの個別の項目ごとに省エネ設定を実施した状態を視覚的に認識可能な態様でデモンストレーションさせる制御を行うように構成されている、請求項１または２に記載の電子機器。
【請求項４】
前記表示部は、前記機器本体部に接続される外部の表示部、または、前記機器本体部に設けられた表示部を含み、
前記表示部には、前記複数の項目を一括して含む省エネ設定メニュー画面が表示され、
前記制御部は、前記省エネ設定メニュー画面に表示された前記複数の項目のうち選択された項目の省エネ設定を実施した状態をデモンストレーションにより前記表示部に表示させる制御を行うように構成されている、請求項３に記載の電子機器。
【請求項５】
前記制御部は、前記複数の項目を一括して含む前記省エネ設定メニュー画面が前記表示部に表示される際に、前記複数の項目のそれぞれについて省エネ設定を実施した場合に節電される消費電力の情報を前記表示部に表示させる制御を行うように構成されている、請求項４に記載の電子機器。
【請求項６】
前記省エネ設定メニュー画面に切り替える省エネ設定メニューボタンを含むリモコンをさらに備え、
前記機器本体部は、前記リモコンの信号を受信可能なリモコンセンサを含み、
前記制御部は、前記リモコンセンサがユーザにより前記省エネ設定メニューボタンが押された際の信号を受信した場合に、前記表示部に表示される画面を前記省エネ設定メニュー画面に切り替える制御を行うように構成されている、請求項４または５に記載の電子機器。
【請求項７】
前記制御部は、省エネ設定を実施した状態をデモンストレーションにより前記表示部に表示させる際に、省エネ設定を実施した場合に節電される消費電力および節約される電力料金の情報を表示させる制御を行うように構成されている、請求項１〜６のいずれか１項に記載の電子機器。
【請求項８】
前記機器本体部には外部の表示部が接続されており、
前記機器本体部は、前記機器本体部の情報を表示可能な情報表示部を含み、
前記制御部は、前記情報表示部の省エネ設定を行う場合に、前記外部の表示部に前記情報表示部の省エネ設定の設定画面を表示させながら、前記情報表示部を用いて省エネ設定を実施した状態を視覚的に認識可能な態様でデモンストレーションさせる制御を行うように構成されている、請求項１〜７のいずれか１項に記載の電子機器。
【請求項９】
放送信号を受信する受信部と、受信装置本体部と、制御部とを含む受信装置と、
前記受信部に接続される外部表示装置とを備え、
前記制御部は、前記受信装置本体部の省エネ設定に関する操作をユーザから受け付ける際に、前記外部表示装置に表示させるか、または、前記受信装置を動作させることにより、省エネ設定を実施した状態を視覚的に認識可能な態様でデモンストレーションさせる制御を行うように構成されている、受信システム。
【発明の詳細な説明】
【技術分野】
【０００１】
この発明は、電子機器および受信システムに関し、特に、省エネ設定を行うことが可能な電子機器および受信システムに関する。
【背景技術】
【０００２】
従来、省エネ設定を行うことが可能な電子機器が知られている（たとえば、特許文献１参照）。
【０００３】
上記特許文献１には、機器本体部と、機器本体部の節電モード（省エネ）の設定に関する操作をユーザから受け付ける際に、節電モードを実施した際のデメリットについての情報を文字によって表示させる制御部とを備えた複合型電子機器（電子機器）が開示されている。
【先行技術文献】
【特許文献】
【０００４】
【特許文献１】特開２００６−２５４１８５号公報
【発明の概要】
【発明が解決しようとする課題】
【０００５】
しかしながら、上記特許文献１の複合型電子機器のように、節電モードを実施した際のデメリットが文字によって表示されるだけでは、ユーザが節電モードを選択した際の状態をイメージしにくく、節電モード設定後の状態を十分に理解することができない場合があると考えられる。この場合には、節電モード設定後の状態を十分に理解しないまま、節電モードが設定されてしまう場合があるという問題点がある。
【０００６】
この発明は、上記のような課題を解決するためになされたものであり、この発明の１つの目的は、ユーザが、省エネ設定後の状態について十分に理解した上で省エネ設定を行うことが可能な電子機器および受信システムを提供することである。
【課題を解決するための手段】
【０００７】
この発明の第１の局面による電子機器は、機器本体部と、機器本体部の省エネ設定に関する操作をユーザから受け付ける際に、省エネ設定を実施した状態を視覚的に認識可能な態様で表示部に表示されるようにデモンストレーションさせる制御を行う制御部とを備える。
【０００８】
この第１の局面による電子機器では、上記のように、機器本体部の省エネ設定に関する操作をユーザから受け付ける際に、省エネ設定を実施した状態を視覚的に認識可能な態様で表示部に表示されるようにデモンストレーションさせる制御を行う制御部を設けることによって、デモンストレーションにより、省エネ設定を実施した状態を容易にイメージすることができるので、ユーザは省エネ設定を十分に理解することができる。これにより、ユーザは、省エネ設定後の状態について十分に理解した上で省エネ設定を行うことができる。
【０００９】
上記第１の局面による電子機器において、好ましくは、制御部は、省エネ設定を実施した状態をデモンストレーションにより表示部に表示させた後、ユーザに対して省エネ設定を実施してよいかの問い合わせを行うように構成されている。このように構成すれば、ユーザは、省エネ設定を実施した状態をデモンストレーションによって視覚的に確認した上で、省エネ設定を実施するか否かの問い合わせに回答することができる。
【００１０】
上記第１の局面による電子機器において、好ましくは、省エネ設定では、複数の項目について省エネ設定が可能であり、制御部は、複数の項目のうちの個別の項目ごとに省エネ設定を実施した状態を視覚的に認識可能な態様でデモンストレーションさせる制御を行うように構成されている。このように構成すれば、ユーザは、各項目について十分に理解した上で個別の項目ごとに省エネ設定を行うことができる。
【００１１】
この場合、好ましくは、表示部は、機器本体部に接続される外部の表示部、または、機器本体部に設けられた表示部を含み、表示部には、複数の項目を一括して含む省エネ設定メニュー画面が表示され、制御部は、省エネ設定メニュー画面に表示された複数の項目のうち選択された項目の省エネ設定を実施した状態をデモンストレーションにより表示部に表示させる制御を行うように構成されている。このように構成すれば、機器本体部に接続される外部の表示部か、または、機器本体部に設けられた表示部に一括して表示された複数の項目から所望の項目を選択することができるので、省エネ設定を行う際の操作性を向上させることができる。また、機器本体部に接続される外部の表示部か、または、機器本体部に設けられた表示部に省エネ設定を実施した状態のデモンストレーションを表示させることができるので、ユーザは、省エネ設定を容易に視覚的に理解することができる。
【００１２】
上記表示部が、機器本体部に接続される外部の表示部、または、機器本体部に設けられた表示部を含む構成において、好ましくは、制御部は、複数の項目を一括して含む省エネ設定メニュー画面が表示部に表示される際に、複数の項目のそれぞれについて省エネ設定を実施した場合に節電される消費電力の情報を表示部に表示させる制御を行うように構成されている。このように構成すれば、ユーザは、省エネ設定メニュー画面により、複数の項目を比較しながら、節電される消費電力が大きい項目を選択すれば容易に節電効果を高めることができる。
【００１３】
上記表示部が、機器本体部に接続される外部の表示部、または、機器本体部に設けられた表示部を含む構成において、好ましくは、省エネ設定メニュー画面に切り替える省エネ設定メニューボタンを含むリモコンをさらに備え、機器本体部は、リモコンの信号を受信可能なリモコンセンサを含み、制御部は、リモコンセンサがユーザにより省エネ設定メニューボタンが押された際の信号を受信した場合に、表示部に表示される画面を省エネ設定メニュー画面に切り替える制御を行うように構成されている。このように構成すれば、リモコンの省エネ設定メニューボタンを押すだけで省エネ設定メニュー画面を表示部に表示させることができるので、省エネ設定を行う際の操作性（利便性）を向上させることができる。
【００１４】
上記第１の局面による電子機器において、好ましくは、制御部は、省エネ設定を実施した状態をデモンストレーションにより表示部に表示させる際に、省エネ設定を実施した場合に節電される消費電力および節約される電力料金の情報を表示させる制御を行うように構成されている。このように構成すれば、省エネ設定を実施した状態をデモンストレーションにより確認しながら、省エネ設定を実施した場合に節電される消費電力および節約される電力料金の情報を容易に理解することができる。
【００１５】
上記第１の局面による電子機器において、好ましくは、機器本体部には外部の表示部が接続されており、機器本体部は、機器本体部の情報を表示可能な情報表示部を含み、制御部は、情報表示部の省エネ設定を行う場合に、外部の表示部に情報表示部の省エネ設定の設定画面を表示させながら、情報表示部を用いて省エネ設定を実施した状態を視覚的に認識可能な態様でデモンストレーションさせる制御を行うように構成されている。このように構成すれば、情報表示部の省エネ設定を行う場合に、情報表示部自体を用いて省エネ設定後のデモンストレーションが行われるので、ユーザは、省エネ設定を実施した状態をよりイメージし易く、その結果、省エネ設定後の状態をさらに容易に理解することができる。
【００１６】
この発明の第２の局面による受信システムは、放送信号を受信する受信部と、受信装置本体部と、制御部とを含む受信装置と、受信部に接続される外部表示装置とを備え、制御部は、受信装置本体部の省エネ設定に関する操作をユーザから受け付ける際に、外部表示装置に表示させるか、または、受信装置を動作させることにより、省エネ設定を実施した状態を視覚的に認識可能な態様でデモンストレーションさせる制御を行うように構成されている。
【００１７】
この第２の局面による受信システムでは、上記のように、受信装置本体部の省エネ設定に関する操作をユーザから受け付ける際に、外部表示装置に表示させるか、または、受信装置を動作させることにより、省エネ設定を実施した状態を視覚的に認識可能な態様でデモンストレーションさせる制御を行う制御部を設けることによって、デモンストレーションにより省エネ設定を実施した状態を容易にイメージすることができるので、ユーザは省エネ設定を十分に理解することができる。これにより、ユーザは、省エネ設定後の状態について十分に理解した上で省エネ設定を行うことができる。また、省エネ設定を実施した状態のデモンストレーションを、外部表示装置に表示させるか、または、受信装置に行わせることができるので、ユーザが省エネ設定を容易に理解することができる。
【発明の効果】
【００１８】
本発明によれば、上記のように、ユーザが、省エネ設定後の状態について十分に理解した上で省エネ設定を行うことができる。
【図面の簡単な説明】
【００１９】
【図１】本発明の一実施形態による受信システムの構成を示したブロック図である。
【図２】本発明の一実施形態による受信システムにおけるＢＤレコーダのリモコンを示した図である。
【図３】本発明の一実施形態による受信システムのメニュー画面を示した図である。
【図４】本発明の一実施形態による受信システムの省エネ設定メニュー画面を示した図である。
【図５】本発明の一実施形態による受信システムにおけるＢＤレコーダのＬＣＤの省エネ設定をＯｎにした状態の表示部を示した図である。
【図６】本発明の一実施形態による受信システムにおけるＢＤレコーダのＬＣＤの省エネ設定をＯｎにした状態を示した図である。
【図７】本発明の一実施形態による受信システムにおけるＢＤレコーダのＬＣＤの省エネ設定をＯｆｆにした状態の表示部を示した図である。
【図８】本発明の一実施形態による受信システムにおけるＢＤレコーダのＬＣＤの省エネ設定をＯｆｆにした状態のデモンストレーションを示した図である。
【図９】本発明の一実施形態による受信システムにおけるＢＤレコーダのＬＣＤの省エネ設定の実施についての問い合わせを示した図である。
【図１０】本発明の一実施形態による受信システムにおけるＢＤレコーダのアンテナスルー出力設定の省エネ設定をＯｎにした状態の表示部を示した図である。
【図１１】本発明の一実施形態による受信システムにおけるＢＤレコーダのアンテナスルー出力設定の省エネ設定をＯｆｆにした状態のデモンストレーションを表示部に示した図である。
【図１２】本発明の一実施形態による受信システムにおけるＢＤレコーダのアンテナスルー出力設定の省エネ設定の実施についての問い合わせを示した図である。
【図１３】本発明の一実施形態による受信システムにおけるＢＤレコーダのアッテネータ電源設定をＯｎにした状態の表示部を示した図である。
【図１４】本発明の一実施形態による受信システムにおけるＢＤレコーダのアッテネータ電源設定をＯｆｆにした状態のデモンストレーションを表示部に示した図である。
【図１５】本発明の一実施形態による受信システムにおけるＢＤレコーダのアッテネータ電源設定の実施についての問い合わせを示した図である。
【図１６】本発明の一実施形態による受信システムにおけるＢＤレコーダの高速起動設定の省エネ設定をＯｎにした状態の表示部を示した図である。
【図１７】本発明の一実施形態による受信システムにおけるＢＤレコーダの高速起動設定の省エネ設定をＯｆｆにしてデモンストレーションが開始された状態の表示部を示した図である。
【図１８】本発明の一実施形態による受信システムにおけるＢＤレコーダの高速起動設定の省エネ設定をＯｆｆにしてデモンストレーションが終了した状態の表示部を示した図である。
【図１９】本発明の一実施形態による受信システムにおけるＢＤレコーダの高速起動設定の省エネ設定の実施についての問い合わせを示した図である。
【図２０】本発明の一実施形態による受信システムにおけるデモンストレーション処理を説明するためのフローチャートである。
【発明を実施するための形態】
【００２０】
以下、図１〜図１９を参照して、本発明の一実施形態による受信システム１００の構成について説明する。
【００２１】
受信システム１００は、図１に示すように、ＢＤ（ブルーレイディスク）レコーダ１と、ＴＶ（テレビジョン）装置２とを備えている。また、ＢＤレコーダ１は、ＢＤレコーダ本体１ａとリモコン３とを備えている。なお、ＢＤレコーダ１は、本発明の「電子機器」および「受信装置」の一例である。また、ＢＤレコーダ本体１ａは、本発明の「機器本体部」および「受信装置本体部」の一例である。また、ＴＶ装置２は、本発明の「外部表示装置」の一例である。
【００２２】
ＢＤレコーダ本体１は、図１に示すように、チューナ１１と、ＴＶ放送の電波を減衰させて適切なレベルにするアッテネータ１２と、ＨＤＤ１３と、光ディスクドライブ１４とを備えている。また、ＢＤレコーダ本体１は、メモリ１５と、ＬＣＤ１６と、リモコンセンサ１７と、出力部１８と、制御部１９とを備えている。なお、チューナ１１は、本発明の「受信部」の一例である。また、ＬＣＤ１６は、本発明の「情報表示部」の一例である。
【００２３】
また、ＢＤレコーダ１は、電源Ｏｎモード、電源Ｏｆｆモードおよび省エネルギーモードの３つの電源モードを有している。電源Ｏｎモードは、ＢＤレコーダ１に通常状態で電力が供給される状態のモードである。また、電源Ｏｆｆモードは、主電源がＯｆｆにされて、ＢＤレコーダ１に電力が完全に供給されていない状態のモードである。また、省エネルギーモードは、ＢＤレコーダ１の機能の一部を制限してＢＤレコーダ本体１ａの内部に供給される電力を電源Ｏｎモードの場合よりも削減するモードである。また、ＢＤレコーダ１は、リモコン３の電源ボタン３１を押すことにより省エネルギーモードに移行されるように構成されている。
【００２４】
また、ＢＤレコーダ１は、省エネルギーモードから電源Ｏｎモードへの移行を短時間で可能にする高速起動設定機能を有している。高速起動設定がＯｎに設定されている場合には、ＢＤレコーダ１のチューナ１１やアッテネータ１２などの電子部品に高速起動を行うのに必要な電力が供給されている。
【００２５】
チューナ１１は、アンテナ４１を介してＴＶ放送を受信するように構成されている。チューナ１１は、配線を介してＴＶ装置２に接続されている。また、チューナ１１は、ＢＤレコーダ１を省エネルギーモードに移行させた際に、チューナ１１により受信したＴＶ放送をＴＶ装置２で視聴可能にするアンテナスルー出力機能を有する。
【００２６】
アッテネータ１２は、ＴＶ放送の電波を減衰させて適切なレベルにして、ＴＶ放送による映像を鮮明に視聴することが可能なように構成されている。
【００２７】
ＨＤＤ１３は、チューナ１１により受信されたＴＶ放送を録画可能に構成されている。また、光ディスクドライブ１４は、ＢＤからデータを読み込み可能に構成されている。また、光ディスクドライブ１４は、ＢＤにデータを書き込み可能に構成されている。
【００２８】
メモリ１５は、書き換え可能な不揮発性メモリである。メモリ１５は、ＢＤレコーダ本体１ａで用いられる各種情報を記憶するように構成されている。
【００２９】
ＬＣＤ１６は、ＢＤレコーダ本体１ａの情報を表示可能に構成されている。ＬＣＤ１６には、たとえば、ＢＤレコーダ１の再生または録画に関する情報や現在時刻などが表示（図６参照）される。
【００３０】
リモコンセンサ１７は、リモコン３の信号を受信可能に構成されている。リモコンセンサ１７は、受信した信号についての情報を制御部１９に伝送するように構成されている。
【００３１】
出力部１８は、ＢＤレコーダ本体１ａで再生される映像についての情報をＴＶ装置２に伝送するように構成されている。
【００３２】
制御部１９は、ＢＤレコーダ１の全体の動作を制御するように構成されている。制御部１９については、後で詳しく説明する。
【００３３】
ＴＶ装置２は、図１に示すように、ＴＶ装置本体２ａと、表示部２１（図３および図４参照）を備えている。表示部２１には、ＢＤレコーダ１のチューナ１１で受信されたＴＶ放送の映像や、ＢＤレコーダ１の設定に関する情報などが表示されるように構成されている。
【００３４】
ここで、本実施形態では、リモコン３は、図２に示すように、電源ボタン３１と、十字ボタン３２と、決定ボタン３３とを備える。また、リモコン３は、メニュー画面ボタン３４と、省エネ設定メニューボタン３５と、戻るボタン３６とを備えている。
【００３５】
電源ボタン３１は、ＢＤレコーダ１の電源Ｏｎモードおよび省エネルギーモードを切り替える信号をリモコン３からＴＶ装置２に送信するように命令する機能を有している。十字ボタン３２は、上ボタン３２１、左ボタン３２２、右ボタン３２３および下ボタン３２４を含む。十字ボタン３２は、ＴＶ装置２の表示部２１から所望の項目を選択する際に使用される。決定ボタン３３は、選択された項目を決定する機能を有する。
【００３６】
メニュー画面ボタン３４は、ＴＶ装置２の表示部２１に表示される画面をメニュー画面２１１（図３参照）に切り替える機能を有する。省エネ設定メニューボタン３５は、ＴＶ装置２の表示部２１に表示される画面を省エネ設定メニュー画面２１２（図４参照）に切り替える機能を有する。戻るボタン３６は、表示部２１に表示されている画面を視聴画面（受信した放送信号が表示されている画面）に切り替える機能を有する。
【００３７】
次に、図３および図４を参照して、本発明の一実施形態による受信システム１００のＢＤレコーダ１における制御部１９の構成について詳細に説明する。
【００３８】
制御部１９は、図３に示すように、ＴＶ装置２の表示部２１にメニュー画面２１１を表示する制御を行うように構成されている。また、制御部１９は、メニュー画面２１１において省エネ設定メニューの項目が選択された場合、省エネ設定メニュー画面２１２に切り替える制御を行うように構成されている。また、制御部１９は、表示部２１に任意の画面（たとえば、視聴画面）が表示されている状態で、省エネ設定メニューボタン３５（図２参照）が押された場合、省エネ設定メニュー画面２１２に切り替える制御を行うように構成されている。すなわち、制御部１９は、省エネ設定メニューボタン３５が押された信号をリモコンセンサ１７が受信した場合に、省エネ設定メニュー画面２１２に切り替える制御を行うように構成されている。
【００３９】
制御部１９は、図４に示すように、表示部２１に省エネ設定に関する複数の項目を一括して含む省エネ設定メニュー画面２１２を表示する制御を行うように構成されている。具体的には、制御部１９は、複数の項目に含まれる個別の項目５１１〜５１５のそれぞれについての現在の省エネ設定の状況、省エネ設定Ｏｆｆ時に節電される消費電力および省エネ設定Ｏｆｆ時に節約される電気料金についての情報を一括して省エネ設定メニュー画面２１２に表示する制御を行うように構成されている。なお、個別の項目５１１〜５１５は、それぞれ、ＢＤレコーダのＬＣＤ設定、アンテナスルー出力設定、アッテネータ電源設定、高速起動設定および光ディスク動作設定である。また、省エネ設定は、個別の項目５１１〜５１５のそれぞれに対応する機能ごとに行うことが可能である。
【００４０】
具体的には、ＢＤレコーダのＬＣＤ設定において、省エネ設定がＯｎの場合、ＢＤレコーダのＬＣＤの表示機能が有効である。また、ＢＤレコーダのＬＣＤ設定において、省エネ設定がＯｆｆの場合、ＢＤレコーダのＬＣＤの表示機能が無効である。また、アンテナスルー出力設定において、省エネ設定がＯｎの場合、アンテナスルー出力機能が有効である。また、アンテナスルー出力設定において、省エネ設定がＯｆｆの場合、アンテナスルー出力機能が無効である。また、アッテネータ電源設定において、省エネ設定がＯｎの場合、アッテネータ電源機能が有効である。また、アッテネータ電源設定において、省エネ設定がＯｆｆの場合、アッテネータ電源機能が無効である。また、高速起動設定において、省エネ設定がＯｎの場合、高速起動機能が有効である。また、高速起動設定において、省エネ設定がＯｆｆの場合、高速起動機能が無効である。また、光ディスク動作設定において、省エネ設定がＯｎの場合、光ディスク動作機能が有効である。また、光ディスク動作設定において、省エネ設定がＯｆｆの場合、光ディスク動作機能が無効である。
【００４１】
また、制御部１９は、一括して表示されている複数の項目について省エネ設定を行うように構成されている。また、制御部１９は、一括して表示されている複数の項目のうちの選択された個別の項目５１１〜５１５のそれぞれについて個別に省エネ設定を行うように構成されている。制御部１９は、複数の項目を一括して含む省エネ設定メニュー画面２１２が表示部２１に表示される際に、複数の項目のそれぞれについて省エネ設定を実施した場合に節電される消費電力の情報を表示部２１に表示させる制御を行うように構成されている。
【００４２】
制御部１９は、ＢＤレコーダ本体１ａの省エネ設定を行う場合に、省エネ設定を実施した状態を視覚的に認識可能な態様でデモンストレーションさせる制御を行うように構成されている。制御部１９は、複数の項目のうちの個別の項目５１１〜５１５ごとに省エネ設定を実施した状態を視覚的に認識可能な態様でデモンストレーションさせる制御を行うように構成されている。デモンストレーションは、省エネ設定を実施した状態をＢＤレコーダ本体１ａ自体に実施させるか、または、省エネ設定を実施したＢＤレコーダ本体１ａの映像（たとえば、動画形式など）を表示部２１に表示させる態様で実施される。
【００４３】
たとえば、ＢＤレコーダ１のＬＣＤ１６の省エネ設定を行う場合、図５〜図８に示すように、制御部１９は、ＴＶ装置２の表示部２１にＬＣＤ１６の省エネ設定の設定画面を表示させながら、ＬＣＤ１６を用いて省エネ設定を実施した状態を視覚的に認識可能な態様でデモンストレーションさせる制御を行うように構成されている。詳細には、制御部１９は、図５に示すように、ＢＤレコーダ１のＬＣＤ１６の省エネ設定をＯｎにした省エネ設定の設定画面を表示部２１に表示する。この際、制御部１９は、図６に示すように、ＬＣＤ１６をＬＣＤ設定の省エネ設定をＯｎにした状態にする。また、制御部１９は、図７に示すように、ユーザがリモコン３を操作してＢＤレコーダ１のＬＣＤ１６の省エネ設定をＯｎからＯｆｆに切り替えると、ＢＤレコーダ１のＬＣＤ１６の省エネ設定をＯｆｆにした省エネ設定の設定画面を表示部２１に表示する。この際、制御部１９は、図８に示すように、ＬＣＤ１６をＢＤレコーダ１のＬＣＤ１６の省エネ設定をＯｆｆにした状態にする態様でデモンストレーションを行う。
【００４４】
また、アンテナスルー出力の省エネ設定を行う場合、図１０に示すように、制御部１９は、アンテナスルー出力の省エネ設定をＯｎにした状態を表示部２１に表示する。制御部１９は、図１１に示すように、ユーザがリモコン３を操作してアンテナスルー出力の省エネ設定をＯｎからＯｆｆに切り替えるとアンテナスルー出力の省エネ設定をＯｆｆにした状態を表示部２１に表示する態様でデモンストレーションを行う。この場合、アンテナスルー出力機能が制限され、ＴＶ放送の映像を視聴することができない態様のデモンストレーションが表示部２１に表示される。具体的には、アンテナスルー出力の省エネ設定がＯｎの場合に表示部２１に表示されていたＴＶ放送の映像が、アンテナスルー出力の省エネ設定がＯｆｆにされることにより表示部２１に映らなくなる。
【００４５】
また、アッテネータ電源の設定を行う場合、図１３に示すように、制御部１９は、アッテネータ電源の設定をＯｎ（省エネ設定をＯｎ）にした状態を表示部２１に表示する。制御部１９は、図１４に示すように、ユーザがリモコン３を操作してアッテネータ電源の設定をＯｎからＯｆｆに切り替えるとアッテネータ電源の設定をＯｆｆ（省エネ設定をＯｆｆ）にした状態を表示部２１に表示する態様でデモンストレーションを行う。この場合、アッテネータ１２の機能が制限され、ＴＶ放送による映像が不鮮明になる態様のデモンストレーションが表示部２１に表示される。具体的には、アッテネータ電源の設定がＯｎの場合に鮮明に表示されていたＴＶ放送の映像が、アッテネータ電源の設定がＯｆｆにされることにより不鮮明な状態で表示される。また、図１３〜図１５に示すように、選択されているアッテネータ電源の設定における電界強度が表示部２１に表示される。
【００４６】
また、高速起動の省エネ設定を行う場合、図１６に示すように、制御部１９は、高速起動の省エネ設定をＯｎにした状態および高速起動の省エネ設定をＯｆｆにした状態を表示部２１に表示する。制御部１９は、図１７および図１８に示すように、ユーザがリモコン３を操作して高速起動の省エネ設定をＯｎからＯｆｆに切り替えると、高速起動が行われる設定から高速起動が行われない設定に切り替わる状態を動画形式で表示部２１に表示する態様でデモンストレーションを行う。図１７および図１８に示すように、高速起動の省エネ設定をＯｆｆにした（高速起動が行われない）状態が表示部２１の右側に表示され、高速起動の省エネ設定をＯｎにした（高速起動が行われる）状態が表示部２１の左側に表示される。具体的には、高速起動の省エネ設定がＯｎの場合におけるＢＤレコーダ本体１ａの動作の動画と、高速起動の省エネ設定がＯｆｆの場合におけるＢＤレコーダ本体１ａの動作の動画とが対比されて表示される。
【００４７】
また、光ディスク操作設定の省エネ設定を行う場合、省エネ設定を実施した状態を視覚的に認識可能な態様でデモンストレーションさせる制御を行うように構成されている。
【００４８】
また、制御部１９は、省エネ設定を実施した状態をデモンストレーションにより表示部２１に表示させる際に、省エネ設定を実施した場合に節電される消費電力および節約される電力料金の情報を表示させる制御を行うように構成されている、
【００４９】
制御部１９は、図９、図１２、図１５および図１９に示すように、省エネ設定を実施した状態をデモンストレーションにより表示部２１に表示させた後、ユーザに対して省エネ設定を実施してよいかの問い合わせを行うように構成されている。
【００５０】
次に、図２０を参照して、本実施形態による受信システム１００におけるＢＤレコーダ１の制御部１９により実行されるデモンストレーション処理について説明する。なお、デモンストレーション処理は、メニュー画面２１１で省エネ設定メニューが選択されたか、または、リモコン３の省エネ設定メニューボタン３５がユーザにより押されたことにより開始される。
【００５１】
まず、ステップＳ１において、省エネ設定メニュー画面２１２が表示される。次に、ステップＳ２において、省エネ設定メニューから所定の項目が選択されたか否かが判断される。具体的には、ユーザにより項目５１１〜５１５（図４参照）のうちいずれの項目が選択されたか否かが判断される。
【００５２】
ステップＳ２において、所定の項目が選択されなかった場合には、ステップＳ３に進み、視聴画面に戻る。具体的には、ユーザにより、リモコン３の戻るボタン３６が押された場合に視聴画面に戻る。その後、デモンストレーション処理フローを終了する。また、ステップＳ２において、所定の項目が選択された場合には、ステップＳ４に進む。
【００５３】
ステップＳ４において、選択された項目についてデモンストレーションが開始される。たとえば、ステップＳ２においてアンテナスルー出力設定（項目５１１）が選択された場合には、図１０に示すように、アンテナスルー出力の省エネ設定がＯｎの状態の画面が表示部２１に表示される。次に、図１１に示すように、ユーザによりアンテナスルー出力の省エネ設定がＯｆｆにされると、アンテナスルー出力の省エネ設定をＯｆｆした状態の画面が表示部２１に表示される態様でデモンストレーションが行われる。また、ステップＳ４では、ステップＳ２においてアンテナスルー出力設定以外の、ＢＤレコーダ１のＬＣＤ設定、アッテネータ電源設定、高速起動設定、光ディスク動作設定が選択された場合にも、同様の処理が行われる。
【００５４】
次に、ステップＳ５において、選択された項目の省エネ設定を実施するかの問い合わせが行われる。たとえば、ステップＳ２においてアンテナスルー出力設定（項目５１２）が選択された場合には、アンテナスルー出力の省エネ設定をＯｆｆにした状態の画面が表示された後、図１２に示すように、アンテナスルー出力の省エネ設定をＯｆｆにした省エネ設定を実施してよいかの問い合わせが行われる。また、ステップＳ２においてＢＤレコーダ１のＬＣＤ設定（項目５１１）、アッテネータ電源設定（項目５１３）、高速起動設定（項目５１４）および光ディスク設定（項目５１５）のいずれかが選択された場合には、選択された項目に対応する省エネ設定をＯｆｆにした状態の画面（図９、図１５および図１９参照）が表示された後、省エネ設定を実施してよいかの問い合わせが行われる。
【００５５】
次に、ステップＳ６に進み、「はい」が選択されたか否かが判断される。ステップＳ６において、「はい」が選択されなかった場合には、ステップＳ１に戻る。ステップＳ６において、「はい」が選択された場合には、ステップＳ７に進み、選択された省エネ設定が実施される。その後、デモンストレーション処理フローを終了する。
【００５６】
本実施形態では、上記のように、ＢＤレコーダ本体１ａの省エネ設定に関する操作をユーザから受け付ける際に、表示部２１に表示させるか、または、ＢＤレコーダ１を動作させることにより、省エネ設定を実施した状態を視覚的に認識可能な態様でデモンストレーションさせる制御を行う制御部１９を設ける。これにより、デモンストレーションにより省エネ設定を実施した状態を容易にイメージすることができるので、ユーザは省エネ設定を十分に理解することができ、省エネ設定後の状態について十分に理解した上で省エネ設定を行うことができる。その結果、省エネ設定に起因してＢＤレコーダ本体１ａに現れる影響をＢＤレコーダ本体１ａの不具合と誤認してしまうのを抑制することができる。また、省エネ設定を実施した状態のデモンストレーションを、ＴＶ装置２に表示させるか、または、ＢＤレコーダ１に行わせることができるので、ユーザは、省エネ設定を容易に理解することができる。
【００５７】
本実施形態では、上記のように、省エネ設定を実施した状態をデモンストレーションにより表示部２１に表示した後、ユーザに対して省エネ設定を実施してよいかの問い合わせを行うように制御部１９を構成する。これにより、ユーザは、省エネ設定を実施した状態をデモンストレーションによって視覚的に確認した上で、省エネ設定を実施するか否かの問い合わせに回答することができる。
【００５８】
本実施形態では、上記のように、省エネ設定では、複数の項目について省エネ設定が可能であり、複数の項目のうちの個別の項目５１１〜５１５ごとに省エネ設定を実施した状態を視覚的に認識可能な態様でデモンストレーションさせる制御を行うように制御部１９を構成する。これにより、ユーザは、各項目について十分に理解した上で個別の項目ごとに省エネ設定を行うことができる。
【００５９】
本実施形態では、上記のように、ＢＤレコーダ本体１ａに接続する外部の表示部２１を設けるとともに、複数の項目を一括して含む省エネ設定メニュー画面２１２を表示部２１に表示し、省エネ設定メニュー画面２１２に表示された複数の項目のうち選択された項目の省エネ設定を実施した状態をデモンストレーションにより表示部２１に表示させる制御を行うように制御部１９を構成する。これにより、ＢＤレコーダ本体１ａに接続される外部の表示部２１に一括して表示された複数の項目から所望の項目を選択することができるので、省エネ設定を行う際の操作性を向上させることができる。また、ＢＤレコーダ本体１ａに接続される外部の表示部２１に省エネ設定を実施した状態のデモンストレーションを表示させることができるので、ユーザは、省エネ設定を容易に視覚的に理解することができる。
【００６０】
本実施形態では、上記のように、複数の項目を一括して含む省エネ設定メニュー画面２１２を表示部２１に表示する際に、複数の項目のそれぞれについて省エネ設定を実施した場合に節電される消費電力の情報を表示部２１に表示する制御を行うように制御部１９を構成する。これにより、省エネ設定メニュー画面２１２により、複数の項目を比較しながら、節電される消費電力が大きい項目を選択すれば容易に節電効果を高めることができる。
【００６１】
本実施形態では、上記のように、省エネ設定メニュー画面２１２に切り替える省エネ設定メニューボタン３５を設けるようにリモコン３を構成するとともに、リモコン３の信号を受信可能なリモコンセンサ１７を設けるようにＢＤレコーダ本体１ａを構成し、リモコンセンサ１７がユーザにより省エネ設定メニューボタン３５が押された際の信号を受信した場合に、表示部に表示される画面を省エネ設定メニュー画面２１２に切り替える制御を行うように制御部１９を構成する。これにより、リモコン３の省エネ設定メニューボタン３５を押すだけで省エネ設定メニュー画面２１２を表示部に表示させることができるので、省エネ設定を行う際の操作性（利便性）を向上させることができる。
【００６２】
本実施形態では、上記のように、省エネ設定を実施した状態をデモンストレーションにより表示部２１に表示する際に、省エネ設定を実施した場合に節電される消費電力および節約される電力料金の情報を表示する制御を行うように制御部１９を構成する。これにより、省エネ設定を実施した状態をデモンストレーションにより確認しながら、省エネ設定を実施した場合に節電される消費電力および節約される電力料金の情報を容易に理解することができる。
【００６３】
本実施形態では、上記のように、ＢＤレコーダ本体１ａに外部の表示部２１を接続するとともに、ＢＤレコーダ本体１ａの情報を表示可能なＬＣＤ１６を設けるようにＢＤレコーダ本体１ａを構成し、ＬＣＤ１６の省エネ設定を行う場合に、外部の表示部２１にＬＣＤ１６の省エネ設定の設定画面を表示させながら、ＬＣＤ１６を用いて省エネ設定を実施した状態を視覚的に認識可能な態様でデモンストレーションさせる制御を行うように制御部１９を構成する。これにより、ＬＣＤ１６の省エネ設定を行う場合に、ＬＣＤ１６自体を用いてに省エネ設定後のデモンストレーションが行われるので、ユーザは、省エネ設定状態をよりイメージしやすく、その結果、省エネ設定後の状態をさらに容易に理解することができる。
【００６４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６５】
上記実施形態では、本発明の電子機器および受信装置の一例としてのＢＤレコーダに適用した例を示したが、本発明はこれに限られない。本発明では、たとえば、ＢＤレコーダ以外の電子機器に本発明を適用してもよい。たとえば、ＴＶ装置やＳＴＢ（セットトップボックス）などの電子機器に本発明を適用してもよい。
【００６６】
上記実施形態では、複数の項目のうちの個別の項目５１１〜５１５ごとに省エネ設定を実施した例を示したが、本発明はこれに限られない。本発明では、個別の項目５１１〜５１５に対して一括して省エネ設定を実施してもよい。
【００６７】
上記実施形態では、本発明の機器本体部としてのＢＤレコーダ本体１ａの省エネ設定を行う場合に、省エネ設定を実施した状態を視覚的に認識可能な態様でデモンストレーションさせた例を示したが、本発明はこれに限られない。本発明では、視覚的に認識可能な態様に加えて、聴覚的に認識可能な態様で省エネ設定を実施した状態をデモンストレーションさせてもよい。
【００６８】
上記実施形態では、本発明の機器本体部としてのＢＤレコーダに接続された本発明の外部の表示部としてのＴＶ装置に省エネ表示メニュー画面を表示した例を示したが、本発明はこれに限られない。本発明では、機器本体部に含まれる表示部に省エネ表示メニュー画面を表示してもよい。
【００６９】
上記実施形態では、省エネ設定メニュー画面が表示部に表示される際に、節電される消費電力および節約される電気料金の情報の両方を表示した例を示したが、本発明はこれに限られない。本発明では、節電される消費電力または節約される電気料金の情報のいずれか一方のみを、省エネ設定メニュー画面が表示部に表示される際に表示してもよい。
【００７０】
上記実施形態では、省エネ設定を実施した状態をデモンストレーションにより表示部に表示させる際に、節電される消費電力および節約される電力料金の情報の両方を表示した例を示したが、本発明はこれに限られない。本発明では、節電される消費電力または節約される電気料金の情報のいずれか一方のみを、省エネ設定を実施した状態をデモンストレーションにより表示部に表示させる際に表示してもよい。
【００７１】
上記実施形態では、外部の表示部に本発明の情報表示部としてのＬＣＤの省エネ設定の設定画面を表示させながら、ＬＣＤを用いて省エネ設定を実施した状態をデモンストレーションさせた例を示したが、本発明はこれに限られない。本発明では、外部の表示部に、情報表示部の省エネ設定を実施した状態を視覚的に認識可能な態様で表示するとともに、情報表示部の省エネ設定の設定画面を表示させてもよい。
【００７２】
上記実施形態では、ＢＤレコーダ（電子機器および受信装置）のＬＣＤ（情報表示部）、アンテナスルー出力、アッテネータ電源、高速起動および光ディスク動作についての省エネ設定を実施する例を示したが、本発明はこれに限られない。本発明では、上記以外の省エネ設定を実施してもよい。
【００７３】
上記実施形態では、説明の便宜上、制御部の処理動作をスタート時はイベント駆動的に記載し、スタート以降の処理動作はフロー駆動的に記載したフローチャートを用いて説明したが、本発明はこれに限られない。制御部の処理動作を完全なイベント駆動型で行ってもよいし、完全なフロー駆動型で行ってもよいし、並行処理的に行ってもよい。
【符号の説明】
【００７４】
１  ＢＤレコーダ（電子機器、受信装置）
１ａ  ＢＤレコーダ本体（機器本体部、受信装置本体部）
２  ＴＶ装置（外部表示装置）
３  リモコン
１１  チューナ（受信部）
１６  ＬＣＤ（情報表示部）
１７  リモコンセンサ
１８  制御部
２１  表示部（外部の表示部）
３５  省エネ設定メニューボタン
１００  受信システム
２１２  省エネ設定メニュー画面
５１１、５１２、５１３、５１４、５１５  項目
【図１】
2014003498.tif 000003
【図２】
2014003498.tif 000004
【図３】
2014003498.tif 000005
【図４】
2014003498.tif 000006
【図５】
2014003498.tif 000007
【図６】
2014003498.tif 000008
【図７】
2014003498.tif 000009
【図８】
2014003498.tif 000010
【図９】
2014003498.tif 000011
【図１０】
2014003498.tif 000012
【図１１】
2014003498.tif 000013
【図１２】
2014003498.tif 000014
【図１３】
2014003498.tif 000015
【図１４】
2014003498.tif 000016
【図１５】
2014003498.tif 000017
【図１６】
2014003498.tif 000018
【図１７】
2014003498.tif 000019
【図１８】
2014003498.tif 000020
【図１９】
2014003498.tif 000021
【図２０】
2014003498.tif 000022